(57)【特許請求の範囲】
【請求項１】
電気接続箱の外面から突設した電線挿通用筒部に、ワイヤハーネスを通した弾性材からなるグロメットの先端部を被せて取り付けており、
前記電気接続箱の電線挿通用筒部は先端開口の周縁よりフランジ部を突設している一方、前記グロメットの先端部には前記フランジ部を内嵌する断面コ字形状の環状突出部を設けると共に、該環状突出部に連続した先端側に所要幅とした環状のバンド取付部を設け、該バンド取付部の内周面に防水用リブを環状に突出しており、
前記電気接続箱の電線挿通用筒部のフランジ部を前記グロメットの環状突出部で外嵌すると共に、電線挿通用筒部を前記バンド取付部で外嵌して、該バンド取付部の外周面を締結バンドで締結していることを特徴とする電気接続箱へのグロメット取付構造。
【請求項２】
前記電気接続箱は上下カバーを備え、これら上下カバーに半円環状筒部を突出し、これらを上下に組み合わせて円筒状の前記電線挿通用筒部を形成し、
前記円筒状に組みつけた各半円環状筒部に設けた前記フランジ部に前記グロメットの環状突出部を外嵌すると共に、円筒状とした半円環状筒部を前記バンド取付部で外嵌して前記締結バンドで締結することにより、前記上下半円環状筒部を円筒状に一体化固定している請求項１に記載の電気接続箱へのグロメット取付構造。
【請求項３】
前記グロメットには、前記バンド取付部より更に先端に把持用突片を突出させ、前記電線挿通用筒部にグロメットを被せる際に前記把持用突片を把持してグロメットを引っ張りながら被せる構成としている請求項１または請求項２に記載の電気接続箱へのグロメット取付構造。
【発明の詳細な説明】
【技術分野】
【０００１】
本発明は電気接続箱へのグロメット取付構造に関し、電気接続箱へのグロメットの密着性を高めるものである。
【背景技術】
【０００２】
従来より、自動車にエンジンルーム等の浸水領域に搭載される電気接続箱に接続されるワイヤハーネスにはグロメットを取り付け、該グロメットを電気接続箱の挿通孔に装着して電気接続箱内部への浸水を防止している。
【０００３】
例えば、特開２００１−２５１７２４号公報（特許文献１）に示されたグロメットの取付構造では、図８（Ａ）（Ｂ）に示すように、ワイヤハーネスを挿通させたグロメット１を、電装品ブロック２とロアカバー３で挟みこむことでグロメット１を装着している。
グロメット１は筒部１ｂの先端側に連続的に設けられた係合部１ａの外周にパッキン押さえリブ１ｃが突設されている。該パッキン押さえリブ１ｃにより電装ブロック２に設けられたグロメット貫通孔の周縁のパッキン収容溝２ａに収容されているパッキン４を圧接して防水構造としている。
【０００４】
しかしながら、前記構成の場合、グロメット１のパッキン押さえリブ１ｃをパッキン収容溝２ａ内に圧入する作業が容易でなく、作業性が悪いと共に、パッキン４を圧接力に経年劣化して止水性能が低下する恐れがあり、かつ、弾性材からなるグロメットでパッキンを押さえる場合に押圧力にバラツキがでて、均一な止水性を確保しがたい問題がある。
【０００５】
作業性を改善するため、電気接続箱の本体ケースの上端より挿通溝を切欠き、該挿通溝にグロメットを嵌合した後にカバーを被せて、本体ケースとカバーとでグロメットを挟み込む場合もある。
この場合、グロメットの形状を維持するため、ゴムまたはエラストマーからなるグロメット本体に樹脂成形品であるインナー部材を組み合わせ、該インナー部材を本体ケースおよびカバーに係止する。
【０００６】
しかしながら、前記のように樹脂製のインナー部材を組み合わせた所謂二体物グロメットとした場合、部品点数が多くなり、コスト高になる問題がある。
さらに、この二体物グロメットを用いた場合も、カバー側との密着性を確保するため、バックバネ等の金属性締結具を用いることもあり、その場合には更に部品点数が増加してコスト高になる問題がある。
【０００７】
【特許文献１】特開２００１−２５１７２４号公報
【発明の開示】
【発明が解決しようとする課題】
【０００８】
本発明は、前記問題に鑑みてなされたものであり、ワイヤハーネスを挿通するグロメットの電気接続箱への取り付けを簡易な構造としながら、電気接続箱への密着性を高め、止水性を高めることを課題としている。
【課題を解決するための手段】
【０００９】
上記課題を解決するために、本発明は、電気接続箱の外面から突設した電線挿通用筒部に、ワイヤハーネスを通した弾性材からなるグロメットの先端部を被せて取り付けており、
前記電気接続箱の電線挿通用筒部は先端開口の周縁よりフランジ部を突設している一方、前記グロメットの先端部には前記フランジ部を内嵌する断面コ字形状の環状突出部を設けると共に、該環状突出部に連続した先端側に所要幅とした環状のバンド取付部を設け、該バンド取付部の内周面に防水用リブを環状に突出しており、
前記電気接続箱の電線挿通用筒部のフランジ部を前記グロメットの環状突出部で外嵌すると共に、電線挿通用筒部を前記バンド取付部で外嵌して、該バンド取付部の外周面を締結バンドで締結していることを特徴とする電気接続箱へのグロメット取付構造
【００１０】
本発明では、従来の電気接続箱に設けた貫通孔、あるいは電気接続箱の本体の溝とカバーとの間の貫通孔にグロメットを挿入して固定する構成ではなく、電気接続箱より突設した電線挿通用筒部にグロメットの先端部を被せる構成とし、この被せた部分を締結バンドで締め付け固定する構造としている。
即ち、グロメットの先端部を押し広げた状態で電線挿通用筒部に被せて密着させ、さらに、該密着部分を締結バンドで締め付け固定することで、強固に密着性させて、止水性能を高めている。特に、電線挿通用筒部のフランジ部を前記グロメットの環状突出部で外嵌し、締結バンドで締結しているので、電線挿通用筒部にグロメットを確実に固定することができる。
さらに、電線挿通用筒部にグロメット先端部を被せる構造としていることで取付作業性も簡単となる。かつ、グロメットには、樹脂インナーを組み合わせていない、ゴムまたはエラストマーからなる一体物でよく、グロメットおよび締結バンドも汎用品を利用でき、コストを削減することができる。
【００１１】
前記電気接続箱はケース本体に上下カバーを被せて、これら上下カバーをロック結合する構成からなり、前記上下カバーに半円環状筒部を突出し、これらを上下に組み合わせて円筒状の前記電線挿通用筒部を形成し、
前記円筒状と組みつけた各半円環状筒部に設けた前記フランジ部に前記グロメットの環状突出部で外嵌すると共に、円筒状とした半円環筒部を前記バンド取付部で外嵌して前記バンドで締結することにより、前記上下半円環状筒部を円筒状に一体化固定していることが好ましい。
前記構成とすると、上下カバーの上下半円環状筒部にグロメットを締結バンドで締結しているので、上下半円環状筒部同士も強固に固定し、上下半円環状筒部の間から水が浸入するのを防いで防水性を高めることができる。
【００１２】
前記グロメットには、前記バンド取付部より更に先端に把持用突片を突出させ、前記電線挿通用筒部にグロメットを被せる際に、前記把持用突片を把持してグロメットを引っ張りながら被せるのが好ましい。
前記構成とすると、弾性材であるグロメットを電気接続箱の電線挿通用筒部に被せる際に作業品の把持用突片を掴んで装着作業ができ、作業性を高めることができる。
【００１３】
前記のように、グロメットのバンド取付部の内周面に防水用リブを環状に突出している。
このように、バンド取付部の内周面に防水用リブを設けることで、グロメット内に水が浸入してきても、水が防水用リブを乗り越えられず、電気接続箱内への水の浸入を防ぐことができる。
【発明の効果】
【００１４】
前述したように、本発明によれば、電気接続箱の電線挿通用筒部にグロメットを被せて締結バンドで固定するだけなので、簡易構造で止水できる共に、グロメットを電線挿通用筒部に確実に密着させて取り付けているので、止水性能の信頼性を高めることができる。
また、グロメットに樹脂インナーを組みつける必要はなく、グロメットおよび締結バンドも汎用品である安価なものが利用でき、コストアップにならない。
さらにまた、上下カバーの上下半円環状筒部にグロメットを締結バンドで締結しているので、上下半円環状筒部同士も強固に固定でき、上下半円環状筒部の間から水が浸入するのを防いで防水性を高めることができると共に、バント締結部の内周面に防水用リブを設けることで、電気接続箱内への水の浸入を確実に防止することができる。
【発明を実施するための最良の形態】
【００１５】
本発明の実施形態を図面を参照して説明する。
図１乃至図６は本発明の第１実施形態を示し、本実施形態のグロメット２０は、自動車のエンジンルームに搭載される電気接続箱１０に接続されるワイヤハーネスＷ／Ｈに外装して、電気接続箱１０に装着している。
【００１６】
図１に示すように、電気接続箱１０は浸水領域であるエンジンルームに搭載するため防水仕様としており、本体ケース（図示せず）に上下カバーからなるアッパカバー１１とロアカバー１２を被せてロック結合している。
アッパカバー１１およびロアカバー１２には、その一側面からは上下半円環状筒部１３Ａ、１３Ｂが突出し、アッパカバー１１とロアカバー１２を組み合わせることで円筒状の電線挿通用筒部１３が形成されるようにしている。
電線挿通用筒部１３は、図３に示すように、円筒の本体部１３ａと、その先端から外周から突設したフランジ部１３ｂとを備え、本体部１３ａの先端開口を電線挿入口１３ｃとし、電線挿入口１３ｃの周縁から前記フランジ部１３ｂを円環状に突出させている。
【００１７】
ワイヤハーネスに取り付けるグロメット２０はゴムまたはエラストマーからなる一体物であり、図４（Ａ）（Ｂ）に示すように、環状の凹部と凸部とを軸線方向に交互に連続させた蛇腹筒部２０ａの一端側に電気接続箱取付部２０ｂを設け、他端側はワイヤハーネスとテープ巻き固定部２０ｃを設けている。
【００１８】
グロメット２０は、電気接続箱取付部２０ｂの先端開口を装着口２０ｄとし、該装着口２０ｄに所要寸法離れた位置に、電線挿通用筒部１３のフランジ部１３ｂを内嵌する環状突出部２０ｅを設け、該環状突出部２０ｅと装着口２０ｄの間を環状のバンド取付部２０ｆとしている。環状突出部２０ｅに前記蛇腹筒部２０ａを連続させている。該環状突出部２０ｅの外径は蛇腹筒部２０ａの凸部の外径よりも大としている。
前記環状突出部２０ｅは、図５に示すように、断面コ字形状といて凹部２０ｇを設け、該凹部２０ｇは電線挿通用筒部１３のフランジ部１３ｂを内嵌できる形状としている。
【００１９】
バンド取付部２０ｆの外径は環状突出部２０ｅの外径より小とすると共に、装着口２０ｄ側に環状突起２０ｈを設けてバンド取付部２０ｆの幅を規定している。該幅は締結バンド３０の幅と対応させ、環状突出部２０ｅと環状突起２０ｈの間に締結バンド３０を位置決め保持できる構成としている。
【００２０】
前記バンド取付部２０ｆの内周面からは、図５に示すように、防水用リブ２０ｉを環状に突出させている。
さらに、グロメット２０の環状突起２０ｈから所要幅を要する一対の把持用突片２０ｊを突設している。該把持用突片２０ｊは作業員が指で摘める程度の大きさとしている。
【００２１】
電気接続箱１０の電線挿通用筒部１３へのグロメット２０を図６（Ａ）〜（Ｃ）に示す手順で取り付けている。
アッパカバー１１とロアカバー１２の半円環状筒部１３Ａ、１３Ｂは、上下に重ね併わされて円筒状の電線挿通用筒部１３となるように組つけられている。
この電線挿通部１３に対して、図６（Ａ）に示すように、グロメット２０の電気接続箱取付部２０ｂを装着口２０ｄを広げて被せていく。
其の際、グロメット２０を電線挿通用筒部１３の軸方向に対して傾斜させた状態で、電線挿通用筒部１３のフランジ部１３ｂにグロメット２０の環状突出部２０ｅの凹部２０ｇの下側の一部を引っ掛けるように係止させる。
次に、図６（Ｂ）に示すように、グロメット２０の把持用突片２０ｊの片方あるいは両方を手で摘んで上方に引っ張り上げ、グロメット２０の装着口２０ｄを広げる。
グロメット２０の装着口２０ｄを広げた状態で、図６（Ｃ）に示すように、環状突出部２０ｅが電線挿通用筒部１３のフランジ部１３ｂに嵌まり合うようにグロメット２０の先端部２０ｂを被せる。
このように、電気接続箱取付部２０ｂを電線挿通用筒部１３に被せた後、バンド取付部２０ｆの外周に締結バンド３０を巻き付けて、グロメット２０と電線挿通用筒部１３を強固に締結する。
【００２２】
グロメット２０を電気接続箱１０に装着した状態で、図２（Ａ）〜（Ｃ）に示すように、上下半円環状筒部１３Ａ、１３Ｂは、グロメット２０と締結バンド３０とにより円筒状に一体化固定される。即ち、電線挿通用筒部１３のフランジ部１３ｂはグロメット２０の環状突出部２０ｅ内周の凹部２０ｇに内嵌されると共に、電線挿通用筒部１３の本体部１３ａはバンド取付部２０ｆで外嵌され、締結バンド３０で締結される。
このように、電気接続箱１０の電線挿入口１３ｃとグロメット２０の装着口２０ｄは連通してワイヤハーネスの挿通空間を確保した状態で、グロメット２０の電気接続箱取付部２０ｂは電線挿通用筒部１３に強固に密着した状態で取り付けられる。
【００２３】
前記構成とすると、電線挿通用筒部１３にグロメット２０を被せて締結バンド３０で固定するだけで、簡易構造で止水できる共に、グロメット２０の電気接続箱取付部２０ｂを電線挿通用筒部１３に強固に密着させて取り付けているので、スペースをとらずグロメット２０を電気接続箱１０に装着することができる。
また、グロメット２０および締結バンド３０は汎用品を利用できるため、コストアップにならない。
さらにまた、上下半円環状筒部１３Ａ、１３Ｂを締結バンド３０で強固に固定しているので、上下半円環状筒部１３Ａ、１３Ｂの間から水が浸入するのを防ぐと共に、バント締結部２０ｅの内周面に防水用リブ２０ｉを設けることで、電気接続箱１０内への水の浸入を防ぎ防水性を高めることができる。
【００２４】
図７（Ａ）（Ｂ）は本発明の第２実施形態を示す。
本実施形態では、電線挿通用筒部１３’が上下半円環状筒部１３Ａ、１３Ｂに分割しておらず１つの筒形状としている。本実施形態ではロアカバー１２の側面から電線挿通用筒部１３’を突設し、電線挿通用筒部１３’は第１実施形態同様の本体部１３ａ、フランジ部１３ｂおよび電線挿入口１３ｃを設けている。グロメット２０の構造、電線挿通用筒部１３’へのグロメットの取り付け手順は第１実施形態と同様であるので省略する。
【００２５】
前記構成とすると、第１実施形態と同様に、電線挿通用筒部１３’にグロメット２０を被せて締結バンド３０で固定するだけなので、簡易構造で止水できる共に、グロメット２０の先端部２０ｂを電線挿通用筒部１３’に密着させて取り付けているので、スペースをとらずグロメット２０を電気接続箱１０に装着することができる。
また、グロメット２０および締結バンド３０として汎用品を利用できる。
さらに、バント締結部２０ｅの内周面に防水用リブ２０ｉを設けることで、電気接続箱１０内への水の浸入を防ぎ防水性を高めることができる。
【図面の簡単な説明】
【００２６】
【図１】本発明の第１実施形態に係るグロメットを電気接続箱に取り付けた状態を示す斜視図である。
【図２】図１の要部を拡大した図であり、（Ａ）は平面図、（Ｂ）は（Ａ）のＡ―Ａ線断面図であり、（Ｃ）は（Ｂ）の要部を拡大した図面である。
【図３】電線挿通用筒部を示し、（Ａ）は断面図であり、（Ｂ）は（Ａ）の矢印方向から見た図面である。
【図４】グロメットを示す図面であり、（Ａ）は正面断面図であり、（Ｂ）は底面図である。
【図５】図４（Ａ）のグロメットの要部を拡大した図面である。
【図６】本発明の第１実施形態に係る電線挿通用筒部へのグロメット取付手順を示した図面であり、（Ａ）は第１工程を示す図面であり、（Ｂ）は第２工程を示す図面であり、（Ｃ）は第３工程を示す図面である。
【図７】第２実施形態を示す図である。
【図８】従来例に係る電気接続箱を示す図面であり、（Ａ）は断面図であり、（Ｂ）は要部を拡大した断面図である。
【符号の説明】
【００２７】
１０  電気接続箱
１１  アッパカバー
１２  ロアカバー
１３  電線挿通用筒部
１３Ａ  上半円環状筒部
１３Ｂ  下半円環状筒部
１３ａ  本体部
１３ｂ  フランジ部
１３ｃ  電線挿入口
２０  グロメット  
２０ａ  蛇腹筒部
２０ｂ  電気接続箱取付部
２０ｄ  装着口
２０ｅ  環状突出部
２０ｆ  バンド取付部
２０ｇ  凹部
２０ｈ  環状突起
２０ｉ  防水用リブ
２０ｊ  把持用突片
【図１】
0004444916.tif 000002
【図２】
0004444916.tif 000003
【図３】
0004444916.tif 000004
【図４】
0004444916.tif 000005
【図５】
0004444916.tif 000006
【図６】
0004444916.tif 000007
【図７】
0004444916.tif 000008
【図８】
0004444916.tif 000009